(57)【特許請求の範囲】
【請求項１】
双方向ＣＡＴＶ幹線を用いて通信を行う時間分割多重アクセス通信システムにおいて、
前記双方向ＣＡＴＶ幹線を介して、所定の時間間隔で上り信号レベルを指定する指定データと通信端末識別データを含む通信下り信号を送出するＣＡＴＶセンター手段と、
前記ＣＡＴＶセンター手段から送出された前記通信下り信号を受信する通信受信手段と、前記通信受信手段で受信した該当端末識別データを含む通信下り信号の入力レベルから上り信号レベルデータを演算生成する演算手段と、前記通信受信手段で受信した通信下り信号に含まれる上り信号レベルの指定データを基に上り信号レベルデータを生成するデコード手段と、前記演算手段又は前記デコード手段のいずれかで生成した上り信号レベルデータを基に上り通信制御信号を前記ＣＡＴＶセンター手段に送出する通信出力手段とを含む通信端末手段と、を具備し、
前記通信端末手段の電源投入後の初期に、前記通信出力手段から送出する初期上り通信制御信号の信号レベルは、前記演算手段で生成した上り信号レベルデータを基に設定され、前記ＣＡＴＶセンター手段は、前記通信出力手段から送出された初期上り通信制御信号レベルを基準として次の上り信号レベルの指定データを生成送信することを特徴とする双方向ＣＡＴＶの通信レベル制御システム。
【請求項２】
ＣＡＴＶセンター手段と通信端末手段との間で双方向ＣＡＴＶ幹線を介して通信制御を行う双方向ＣＡＴＶの通信レベル制御装置において、
前記通信端末手段は、
前記ＣＡＴＶセンター手段から所定の時間間隔で送出される、少なくとも上り信号レベルを指定する指定データと通信端末識別データを含む通信下り信号を受信する受信手段と、
前記通信下り信号の信号レベルに応じて、前記受信手段の受信利得を制御する自動利得制御手段と、
前記自動利得制御手段で生成された利得制御電圧を基に上り信号レベルのデータを生成する上り信号レベルデータ生成手段と、
前記受信手段で受信した通信下り信号に包含されている上り信号レベルを指定する指定データを抽出する上り信号レベルデータ抽出手段と、
前記上り信号レベルデータ生成手段、又は、前記上り信号レベルデータ抽出手段のいずれかの上り信号レベルのデータを用いて、信号レベル制御された上り通信制御信号を生成して前記ＣＡＴＶセンター手段に出力する出力手段と、を具備し、
前記通信端末手段の電源投入後の初期に、前記出力手段から前記ＣＡＴＶセンター手段に出力する初期上り通信制御信号のレベルは、前記上り信号レベルデータ生成手段で生成した上り信号レベルのデータを用いて設定されることを特徴とする双方向ＣＡＴＶの通信レベル制御装置。
【請求項３】
前記自動利得制御手段で生成された利得制御電圧値を基に上り信号レベルのデータを生成する上り信号レベルデータ生成手段は、前記利得制御電圧値から上り信号レベルデータ値を演算処理して求める演算手段であることを特徴とする請求項２記載の双方向ＣＡＴＶの通信レベル制御装置。
【請求項４】
前記自動利得制御手段で生成された利得制御電圧値を基に上り信号レベルのデータを生成する上り信号レベルデータ生成手段は、事前に設定した前記利得制御電圧値に対応した利得制御電圧値と上り信号レベル値との換算比較表を用いて、前記出力手段から前記ＣＡＴＶセンター手段に出力する初期上り通信制御信号のレベルを設定することを特徴とする請求項２記載の双方向ＣＡＴＶの通信レベル制御装置。
【発明の詳細な説明】
【０００１】
【発明の属する技術分野】
本発明は、ケーブルテレビジョン方式（以下、ＣＡＴＶという）の幹線を用いた電話やコンピュータ通信を行う際に、ＣＡＴＶセンター装置とＣＡＴＶ端末との間の通信信号レベルの制御に関する。
【０００２】
【従来の技術】
近年、情報メディアの多様化により、ＣＡＴＶ幹線による多チャンネルテレビ番組の伝送と共に、このＣＡＴＶ幹線を用いて電話やコンピュータ通信も行える双方向ＣＡＴＶシステムが拡大普及している。
【０００３】
この双方向ＣＡＴＶシステムにおいて、各家庭等に設置されるＣＡＴＶ端末間の電話通信やコンピュータ通信は、ＣＡＴＶセンター装置を介して、時間分割して通信を行う時間分割多重アクセス（以下、ＴＤＭＡという）通信システムが用いられている。
【０００４】
ＣＡＴＶ幹線を用いたＴＤＭＡ通信システムの構成について、図３を用いて説明する。
【０００５】
ＣＡＴＶセンター局のセンター装置３１は、テレビジョン番組の映像と音声信号を含むテレビジョン信号の送信と、電話やコンピュータ通信サービスに関わるＴＤＭＡ通信の下り信号が送信される。このセンター装置３１から送信されたテレビジョン信号とＴＤＭＡ通信下り信号は、幹線ケーブル３２に送出され、このケーブル３２の途中に設置された複数の幹線アンプ３３で増幅されて伝送される。この幹線アンプ３３には、ＣＡＴＶ加入者に分岐するための分岐器が内蔵され、この分岐器で分岐された前記テレビジョン信号とＴＤＭＡ通信下り信号は、分岐幹線ケーブル３２’を介して各ＣＡＴＶ加入者に配信される。この分岐幹線ケーブル３２’には、伝送されたテレビジョン信号とＴＤＭＡ通信下り信号を分岐して、加入者に配信するための加入者数に応じたタップオフ３４が配置されている。このタップオフ３４には、保安器３５を介して分配器３６が接続され、この分配器３６でテレビジョン信号とＴＤＭＡ通信下り信号を分配し、テレビジョン信号は、映像受信用端末３７を介してテレビ受信機３８に供給され、ＴＤＭＡ通信下り信号はＴＤＭＡ通信端末３９を介してサービス用インターフェイス４０に供給される。このサービス用インターフェイス４０は、電話器やコンピュータ機器に接続するための通信モデムからなり、前記電話器やコンピュータ機器からサービス用インターフェイス４０を介して送信される通信は、前記ＴＤＭＡ通信端末３９でＴＤＭＡ通信上り信号に変換されて、前記分配器３６、保安器３５、タップオフ３４、及び幹線アンプ３３を介してセンター装置３１に送信される。
【０００６】
前記ＴＤＭＡ通信において、単一の前記センター装置３１に対して、数千台のＴＤＭＡ通信端末３９が接続されており、それらＴＤＭＡ通信端末３９に対してセンター装置３１から所定の時間間隔毎にＴＤＭＡ通信下り信号を送信する。このＴＤＭＡ通信下り信号には、各ＴＤＭＡ通信端末３９に対する下り通信制御信号が包含されている。ＴＤＭＡ端末３９は受信したＴＤＭＡ通信下り信号から各ＴＤＭＡ端末３９に該当する下り通信制御信号の指示内容に従い、指定された時間及び指定された信号レベルでＴＤＭＡ通信上り信号を前記センター装置３１へと送出する。
【０００７】
つまり、単一のセンター装置３１に接続されている数千台のＴＤＭＡ端末３９の幹線ケーブル３２や分配幹線ケーブル３２’の設置距離の相違による信号伝送損失により、前記ＴＤＭＡ端末３９の個々の信号送出レベルを制御して、ＴＤＭＡ通信上り信号をエラーなく正常にセンター装置３１で受信できるように維持制御される。
【０００８】
前記ＴＤＭＡ端末３９からセンター装置３１に送出されるＴＤＭＡ通信上り信号の送出レベル制御の具体的方法について、図４を併用して説明する。
【０００９】
図４は、横軸に時間の経過を示し、縦軸に上り信号のレベルを示している。
【００１０】
前記センター装置３１から前記ＴＤＭＡ通信端末３９に対して、００（Ｈ）からＦＦ（Ｈ）の間で２０（Ｈ）毎の間隔で信号送出レベルを制御する下り通信制御信号を伝送し、前記ＴＤＭＡ通信端末３９からの上り通信信号レベルを上昇させるように指示するが、前記ＴＤＭＡ通信端末３９の電源が投入されていない場合には、前記センター装置３１の下り通信制御信号に対して前記ＴＤＭＡ通信端末３９は応答しない。
【００１１】
なお、上り通信信号レベルを示す単位（Ｈ）は、１６進法の単位ヘクサーを示している。
【００１２】
次に、前記ＴＤＭＡ通信端末３９が時刻ａの以前に電源投入されて動作状態である場合に、前記センター装置３１から時刻ａでＴＤＭＡ通信端末３９からの送信レベルを２０（Ｈ）に指示されたと仮定する。この指示された値の送信レベルの上り通信制御信号をＴＤＭＡ通信端末３９からセンター装置３１に送出すると、センター装置３１は送信レベル２０（Ｈ）の上り通信制御信号ではレベルが低いためＴＤＭＡ通信端末３９の認識ができない。次に、時刻ｂにおいて、センター装置３１は４０（Ｈ）の信号レベルを要求指示し、この要求指示に従いＴＤＭＡ通信端末３９は４０（Ｈ）に相当するレベルの上り通信制御信号を送信するが、前記センター装置３１は、レベルが低いためにＴＤＭＡ通信端末３９を認識でない。このようにして順次所定時間間隔ａ〜ｂ、ｂ〜ｃ、…で、上り通信制御信号レベルの上昇要求指示を繰り返し、時刻ｅの要求指示レベルＡ０（Ｈ）で前記センター装置３１がＴＤＭＡ通信端末３９を認識できたとすると、このレベルＡ０（Ｈ）を基準として、次の時刻ｆ〜ｉの間で要求指示レベルの増減制御を行い最良の送信レベルＣ２（Ｈ）を探索し、時刻ｊで前記ＴＤＭＡ通信端末３９から送出されるＴＤＭＡ通信上り信号レベルの確立状態とする。
【００１３】
つまり、前記センター装置３１に接続されている全てのＴＤＭＡ通信端末３９に対して、順次時刻ａの時点で上り通信制御信号のレベルを２０（Ｈ）を要求指示し、この時刻ａの要求指示レベルで上り通信制御信号レベルが認識又は確立状態とすることができない多数のＴＤＭＡ通信端末３９に対して、順次時刻ｂの時点の上り通信制御信号レベル４０（Ｈ）を要求指示し、ＴＤＭＡ通信端末３９からの上り通信制御信号レベルが前記センター装置３１で認識確立するまで２０（Ｈ）毎にレベル増加要求指示を行う。このために、前記ＴＤＭＡ通信端末３９の電源投入後の前記センター装置３１とのＴＤＭＡ通信確立状態の上り通信制御信号レベルに到達するまでには、時間ａ〜ｊの長時間かかり、電源投入からＴＤＭＡ通信が可能となるまでの待ち時間は加入者を不快にしている。
【００１４】
このＣＡＴＶ幹線を用いたＴＤＭＡ通信システムで、センター装置３１とＴＤＭＡ通信端末３９との上り通信制御信号レベルの調整制御方法として、前述の方法以外に、各ＴＤＭＡ通信端末３９毎の認識できる上り通信制御信号レベルを前記センター装置３１で記憶しておき、そのセンター装置３１で記憶した上り通信制御信号レベルから通信確立状態を探索する方法、あるいは、各ＴＤＭＡ通信端末３９毎に前記センター装置３１が認識できる固定上り通信制御信号レベルを事前設定し、この事前設定された固定上り通信制御信号レベルから通信確立レベルを探索する方法があるが、これらレベル確立方法は、ＣＡＴＶ幹線のレベル管理を厳しくする必要があり、管理コストの増大を招くことになる。
【００１５】
【発明が解決しようとする課題】
ＣＡＴＶ幹線を用いて、ＴＤＭＡ通信を行う際に、ＴＤＭＡ通信端末の動作電源投入からセンター装置との間で上り通信制御信号レベルを所定の値に確立させるためには、多くの時間を要し、ＴＤＭＡ通信加入者に不快感を与える課題があった。又、センター装置とＴＤＭＡ通信端末間の上り通信制御信号レベルの確立状態の迅速化を行うためには、ＣＡＴＶ幹線の信号レベル管理を常時監視管理する必要があり、管理コストの増大を招く課題があった。
【００１６】
本発明は、ＣＡＴＶ幹線の信号レベル管理を特に厳しく監視管理する必要もなく、ＴＤＭＡ通信端末の動作電源投入時の上り通信制御信号の通信確立状態レベル到達までの時間を短縮化することを目的としている。
【００１７】
【課題を解決するための手段】
本発明は、双方向ＣＡＴＶ幹線を用いて通信を行う時間分割多重アクセス通信システムにおいて、
前記双方向ＣＡＴＶ幹線を介して、所定の時間間隔で上り信号レベルを指定する指定データと通信端末識別データを含む通信下り信号を送出するＣＡＴＶセンター手段と、
前記ＣＡＴＶセンター手段から送出された前記通信下り信号を受信する通信受信手段と、前記通信受信手段で受信した該当端末識別データを含む通信下り信号の入力レベルから上り信号レベルデータを演算生成する演算手段と、前記通信受信手段で受信した通信下り信号に含まれる上り信号レベルの指定データを基に上り信号レベルデータを生成するデコード手段と、前記演算手段又は前記デコード手段のいずれかで生成した上り信号レベルデータを基に上り通信制御信号を前記ＣＡＴＶセンター手段に送出する通信出力手段とを含む通信端末手段と、を具備し、
前記通信端末手段の電源投入後の初期に、前記通信出力手段から送出する初期上り通信制御信号の信号レベルは、前記演算手段で生成した上り信号レベルデータを基に設定され、前記ＣＡＴＶセンター手段は、前記通信出力手段から送出された初期上り通信制御信号レベルを基準として次の上り信号レベルの指定データを生成送信する双方向ＣＡＴＶの通信レベル制御システムである。
【００１８】
又、ＣＡＴＶセンター手段と通信端末手段との間で双方向ＣＡＴＶ幹線を介して通信制御を行う双方向ＣＡＴＶの通信レベル制御装置において、
前記通信端末手段は、
前記ＣＡＴＶセンター手段から所定の時間間隔で送出される、少なくとも上り信号レベルを指定する指定データと通信端末識別データを含む通信下り信号を受信する受信手段と、前記通信下り信号の信号レベルに応じて、前記受信手段の受信利得を制御する自動利得制御手段と、前記自動利得制御手段で生成された利得制御電圧を基に上り信号レベルのデータを生成する上り信号レベルデータ生成手段と、前記受信手段で受信した通信下り信号に包含されている上り信号レベルを指定する指定データを抽出する上り信号レベルデータ抽出手段と、前記上り信号レベルデータ生成手段、又は、前記上り信号レベルデータ抽出手段のいずれかの上り信号レベルのデータを用いて、信号レベル制御された上り通信制御信号を生成して前記ＣＡＴＶセンター手段に出力する出力手段と、を具備し、
前記通信端末手段の電源投入後の初期に、前記出力手段から前記ＣＡＴＶセンター手段に出力する初期上り通信制御信号のレベルは、前記上り信号レベルデータ生成手段で生成した上り信号レベルのデータを用いて設定される双方向ＣＡＴＶの通信レベル制御装置である。
【００１９】
【発明の実施の形態】
以下、図面を参照して本発明の実施の形態について詳細に説明する。図１は本発明に係る双方向ＣＡＴＶの通信レベル制御装置の一実施の形態を示すブロック図である。なお、図３と同一部分は同一符号を付している。
【００２０】
図中の符号１１は、ＴＤＭＡ通信端末を示し、端子１２は図３の分配器３６に接続される。この端子１２に入力された前記センター装置３１からのＴＤＭＡ下り通信信号は、下り信号用選局チューナ１３で周波数変換され、復調器１４に供給される。復調器１４では、周波数変換されたＴＤＭＡ下り通信信号をデジタルデータに復調変換すると共に、ＡＧＣ電圧を生成し、前記下り信号用選局チューナ１３に供給する。このＡＧＣ電圧は、前記下り信号用選局チューナ１３を構成する図示されていない増幅回路の増幅度を制御して、下り信号用選局チューナ１３から復調器１４に供給されるＴＤＭＡ下り通信信号のレベルを一定にする。前記復調器１４で復調変換されたＴＤＭＡ下り通信信号のデジタルデータは、デコード／エンコード器１５に供給されて、所定のデコード処理を行う。このデコード／エンコード器１５は、前記ＴＤＭＡ下り通信信号に包含されている上り信号レベルのデータ、上り信号供給割り当て時間、上り信号の割り当て周波数等のデータと、電話通話データ又はコンピュータ通信データをデコード分離し、電話通話やコンピュータデータはサービス用インターフェイス４０に供給する。このサービス用インターフェイス４０は、電話又はコンピュータ通信用のモデムで構成され、前記デコード／エンコード器１５でデコード分離された電話通話又はコンピュータデータが供給される。前記サービス用インターフェイス４０に接続された電話又はコンピュータから上りデータが供給されると、前記デコード／エンコード器１５で所定のエンコード処理を行う。このデコード／エンコード器１５は、前記下り通信信号からデコード分離した上り信号レベル、上り信号供給割り当て時間、上り信号割り当て周波数等のデータでエンコードを行い変調器１７に供給する。この変調器１７はＴＤＭＡ上り通信信号に変調し、上り信号用選局チューナ１８を介して、所定の信号レベルと所定の時間に所定の周波数でＴＤＭＡ上り通信信号として端子１２に供給する。
【００２１】
一方、前記復調器１４で生成したＡＧＣ電圧は、制御マイクロコンピュータ（以下、制御マイコンという）１６に供給される。この制御マイコン１６は、前記デコード／エンコード器１５とデータの交換を行うと共に、前記上り信号用選局チューナ１８を構成する図示されていない増幅回路の増幅度を制御するＡＧＣ電圧を生成供給する。つまり、前記制御マイコン１６は、前記復調器１４で下り信号用選局チューナ１３から供給されたＴＤＭＡ下り通信信号のレベルに応じたＡＧＣ電圧を生成しており、ＴＤＭＡ通信端末１１の電源投入後の初期状態では、この下り信号レベルで生成されたＡＧＣ電圧を基に、制御マイコン１６で上り信号レベル値を演算する。つまり、ＴＤＭＡ通信端末１１の電源投入後の初期状態では、復調器１４で生成した下り信号レベルに応じたＡＧＣ電圧で上り信号レベルを制御マイコン１６で算出する。
【００２２】
これにより、ＴＤＭＡ通信端末１１に電源投入され、センター装置３１と通信確保する時、最初に前記上り信号用選局チューナ１８から端子１２に供給されるＴＤＭＡ上り通信信号のレベルは、前記制御マイコン１６で生成したレベル値の信号として前記センター装置３１に供給される。すなわち、前記下り信号用チューナ１３と復調器１４で受信復調したＴＤＭＡ通信下り信号に包含されているＴＤＭＡ通信端末用の上り信号レベルを示すデータとは無関係に、受信した下り通信制御信号のレベルを基に前記復調器１４で生成したＡＧＣ電圧を基準とした上り通信制御信号レベルを設定する。つまり、下り通信制御信号を受信する際に必要な受信レベルで、上り通信制御信号の送信レベルを制御マイコン１６で生成するために、短時間でセンター装置３１との通信確立状態が可能となる。
【００２３】
この動作状態について、図２を用いて詳細に説明する。この図２は、横軸に時間を示し、縦軸に信号レベルをヘクサー（Ｈ）で示している。ＴＤＭＡ通信端末１１の電源投入後の時刻ａの時点で、前記センター装置３１からＴＤＭＡ通信下り信号が伝送され、そのＴＤＭＡ通信下り信号に包含されている上り通信制御信号レベルデータとして、２０（Ｈ）の要求指示レベルであったとする。この状態時のＣＡＴＶ幹線の下り信号と上り信号の伝送損失特性がほぼ等しい、通常状態通信時の信号レベル制御の状態をグラフ２１で示し、下り信号と上り信号とのＣＡＴＶ幹線での伝送損失特性が異なる異常状態通信時の信号レベル制御の状態をグラフ２２で示している。
【００２４】
最初に、下りと上りの伝送損失特性が通常時では、時刻ａにおいて受信した下り通信制御信号で要求指示されたレベルは、点線で示す２０（Ｈ）であるが、前記下り通信制御信号を前記下り用選局チューナ１３で所定の値で受信周波数変換させるための受信感度を高くする必要があり、前記復調器１４で生成されたＡＧＣ電圧は、前記下り用選局チューナ１３の受信感度を高くするような値を生成する。このＡＧＣ電圧を基に、前記制御マイコン１６で演算して求めた上り通信制御信号レベルは、要求指示レベルよりも高い９０（Ｈ）であったとすると、この９０（Ｈ）の上り通信制御信号レベルで出力するように前記上り信号用選局チューナ１８の信号出力度を制御して９０（Ｈ）のレベルの上り通信制御信号をセンター装置３１に送出してＴＤＭＡ通信端末１１を認識させる。つまり、動作電源投入後の最初の時刻ａの時点でＴＤＭＡ通信端末１１を認識可能なレベルＡ０（Ｈ）の上り通信制御信号を送出できる。このＡ０（Ｈ）を基に次の時刻ｂ〜ｅの間で上り通信制御信号レベルの確立レベルＣ２（Ｈ）を探索し、上り通信制御の確立設定を行う。この結果、ＴＤＭＡ通信端末１１の電源投入後、最初の上り通信制御信号レベル値を高く設定できるために、通信確立レベルの探索が短時間で確定可能となる。
【００２５】
次に、下りと上りの伝送損失が異なる異常状態でのＴＤＭＡ通信端末１１のセンター装置３１での認識過程をグラフ２２を用いて説明する。時刻ａの前にＴＤＭＡ通信端末１１の動作電源が投入されているとし、時刻ａの時点で下り通信制御信号で要求指示されたレベルは、点線で示す２０（Ｈ）であったとすると、この２０（Ｈ）の要求指示レベルを含む下り通信制御信号から前記復調器１４で生成したＡＧＣ電圧から制御マイコン１６で演算して求めた上り通信制御信号レベルが６０（Ｈ）であり、この６０（Ｈ）のレベルで上り通信制御信号を前記センター装置３１に送出した結果、センター装置３１ではＴＤＭＡ通信端末１１を認識することができず、ＴＤＭＡ通信端末１１では前記制御マイコン１６が次の時刻ｂ〜ｄの間にレベル４０〜８０まで順次上り通信制御信号レベルを求める。つまり、ＴＤＭＡ通信端末１１では、最初の時刻ａの上り通信制御信号レベル６０（Ｈ）を前記センター装置３１が誤認識していると判定し、時刻ｂの時点で前記時刻ａの時点から＋２０（Ｈ）の８０（Ｈ）のレベルの上り通信制御信号を送出し、且つ、時刻ｃでは前記時刻ａの時点から−２０（Ｈ）の４０（Ｈ）のレベルの上り通信制御信号を送出する。この時刻ａの時点の６０（Ｈ）を基準として時刻ｂとｃの時点で±２０（Ｈ）の上り通信制御信号の送出レベルを変化させてもセンター装置３１で認識できないと、時刻ｄで再度レベル８０（Ｈ）を設定する。この時刻ｄではセンター装置３１からの要求指示レベルと同じレベルとなり、この時刻ｄ以降は従来と同様にＴＤＭＡ通信端末１１の認識レベル値Ａ０（Ｈ）及び上り通信制御信号確立レベルＣ２（Ｈ）に到達するまでセンター装置３１からの要求指示レベルで上り通信制御信号のレベル制御を行う。
【００２６】
以上説明したように、ＴＤＭＡ通信端末に電源投入した後は、最初は、センター装置から送信され、下り信号用選局チューナで受信し、復調器でデータ復調する際に生成したＡＧＣ電圧を基に、上り通信制御信号レベル値を設定することにより、短時間で所定の上り通信制御信号のレベル値の選定が可能となり、たとえＣＡＴＶ幹線に伝送損失が生じた際でも従来よりも時間がかかることなく所定レベルの上り通信制御信号レベルの設定が可能となる。
【００２７】
なお、前記制御マイコン１６で演算する上り通信制御信号レベル値は、事前に設定したＡＧＣ電圧に対応したＡＧＣ電圧値と信号レベル値との換算比較表を用いることも可能である。さらに、ＣＡＴＶ幹線の伝送損失に異常がある場合の初期上り通信制御信号レベル値は、６０（Ｈ）よりも高いレベルを選定したり、又、時刻ｂ〜ｄの間にレベルシフトする値は±２０（Ｈ）以外の値を設定することも可能である。
【００２８】
【発明の効果】
本発明により、通信端末の電源投入後の上り通信制御信号は、短時間でセンター装置で認識確立できる信号レベルに制御可能となり、加入者の不快感を解消できる。又、仮にＣＡＴＶ幹線の伝送損失に異常状態が生じたとしてもセンター装置の要求指示の上り信号レベルに従来と同等の時間で要求信号レベルに制御可能となり、ＣＡＴＶ幹線の特別な監視体制を設ける必要もない。
【図面の簡単な説明】
【図１】本発明に係る双方向ＣＡＴＶの通信レベル制御装置の一実施の形態を示すブロック図。
【図２】本発明に係る双方向ＣＡＴＶの通信レベル制御動作を説明するための平面図。
【図３】従来の双方向ＣＡＴＶ幹線を用いてＴＤＭＡ通信システムの構成を示すブロック図。
【図４】従来のＴＤＭＡ通信システムの上り信号レベル制御動作の説明するための平面図。
【符号の説明】
１１…ＴＤＭＡ通信端末、１２…端子、１３…下り信号用選局チューナ、１４…復調器、１５…デコード／エンコード器、１６…制御マイコン、１７…変調器、１８…上り信号用選局チューナ、４０…サービスインターフェイス。
【図１】
0003863300.tif 000002
【図２】
0003863300.tif 000003
【図３】
0003863300.tif 000004
【図４】
0003863300.tif 000005